(57)【要約】【課題】電子部品を確実に保持できるとともに、実装時には、電子部品を確実にピックアップできるキャリアテープを提供すること。【解決手段】複数の送り孔１２と、電子部品を収納可能な複数の開口部１１とがそれぞれ長手方向に所定間隔で穿設された樹脂製のキャリアテープ本体１１０と、開口部１１に粘着剤が臨むようにキャリアテープ本体１１０に貼付けられた粘着フィルム１２０と、で形成されるキャリアテープ１００であって、粘着フィルム１２０は、粘着剤の粘着力を低下させる手段１３０を備えること。【選択図】図１
2018002204.tif 000002
【特許請求の範囲】
【請求項１】
複数の送り孔と、電子部品を収納可能な複数の開口部とがそれぞれ長手方向に所定間隔で穿設された樹脂製のキャリアテープ本体と、
前記開口部に粘着剤が臨むように前記キャリアテープ本体に貼付けられた粘着フィルムと、で形成されるキャリアテープであって、
前記粘着フィルムは、前記粘着剤の粘着力を低下させる手段を備える
ことを特徴とするキャリアテープ。
【請求項２】
前記粘着フィルムは、前記開口部に臨む、少なくとも一部が剥離可能に形成され、
前記粘着剤の粘着力を低下させる手段は、前記粘着フィルムの少なくとも一部を剥離することである
ことを特徴とする請求項１に記載のキャリアテープ。
【請求項３】
前記粘着フィルムは、長手方向に沿って切込部を有し、前記切込部に沿って切断可能である
ことを特徴とする請求項２に記載のキャリアテープ。
【請求項４】
前記粘着剤は、紫外線が照射されることにより、前記粘着剤の粘着力が低下する紫外線硬化型粘着剤であり、
前記粘着剤の粘着力を低下させる手段は、前記紫外線硬化型粘着剤である
ことを特徴とする請求項１に記載のキャリアテープ。
【発明の詳細な説明】
【技術分野】
【０００１】
本発明は、電子部品を収納するキャリアテープに関する。
【背景技術】
【０００２】
従来、ベアチップ（ベアダイ）やＩＣチップなどの電子部品は、キャリアテープの開口部に収納されて、輸送や保管、また、電子部品の実装装置への供給などが行われている。
【０００３】
一般的にキャリアテープは、テープ状の基材に電子部品を収納する複数の収納部を長手方向に所定間隔で有し、送り穴が形成されている（特許文献１及び２参照）。キャリアテープが電子部品の装着装置（実装装置）などで利用される場合、この送り穴は、いわゆるスプロケット穴としてピンが引っ掛けられて、キャリアテープが供給リールから引き出され、移送される。
【０００４】
ところで、ＪＩＳ  Ｃ  ８０６−３には、上面カバーテープを持たない粘着式プラスチックパンチテープの寸法などが定義されており、粘着剤の粘着力について、実装装置による電子部品の吸着を確実にするために，粘着力を最小化するように規定されている。
【先行技術文献】
【特許文献】
【０００５】
【特許文献１】特開２００７−２１６９７５号公報
【特許文献２】特許第５７９０６３３号公報
【発明の概要】
【発明が解決しようとする課題】
【０００６】
しかしながら、キャリアテープの粘着剤は、経時変化により粘着力が強くなるため、電子部品の実装時において、電子部品の薄型化と相まって、電子部品が破損したり、実装装置によるピックアップが不良になったりするなどの問題が起きていた。一方、粘着剤の粘着力を弱くすると、輸送や供給時の振動で、電子部品が脱落するなどの問題が起きてくる。
【０００７】
そこで、本発明は以上の課題に鑑みてなされたものであり、電子部品を確実に保持できるとともに、実装時には、電子部品を確実にピックアップできるキャリアテープを提供することを目的とする。
【課題を解決するための手段】
【０００８】
（１）本発明に係る一つの態様は、複数の送り孔と、電子部品を収納可能な複数の開口部とがそれぞれ長手方向に所定間隔で穿設された樹脂製のキャリアテープ本体と、前記開口部に粘着剤が臨むように前記キャリアテープ本体に貼付けられた粘着フィルムと、で形成されるキャリアテープであって、前記粘着フィルムは、前記粘着剤の粘着力を低下させる手段を備えるものである。
【０００９】
（２）上記（１）の態様において、前記粘着フィルムは、前記開口部に臨む少なくとも一部が剥離可能に形成され、前記粘着剤の粘着力を低下させる手段は、前記粘着フィルムの少なくとも一部を剥離することであってもよい。
【００１０】
（３）上記（２）の態様において、前記粘着フィルムは、長手方向に沿って切込部を有し、前記切込部に沿って切断可能であってもよい。
【００１１】
（４）上記（１）の態様において、前記粘着剤は、紫外線が照射されることにより、前記粘着剤の粘着力が低下する紫外線硬化型粘着剤であり、前記粘着剤の粘着力を低下させる手段は、前記紫外線硬化型粘着剤であってもよい。
【発明の効果】
【００１２】
本発明によれば、電子部品を確実に保持できるとともに、実装時には、電子部品を確実にピックアップできるキャリアテープを提供することができる。
【図面の簡単な説明】
【００１３】
【図１】本発明の実施形態１に係るキャリアテープ１００を示す、（ａ）裏面の平面図、（ｂ）断面図、（ｃ）表面の平面図である。
【図２】本発明の実施形態２に係るキャリアテープ２００を示す、（ａ）裏面の平面図、（ｂ）断面図である。
【図３】本発明の実施形態３に係るキャリアテープ３００を示す、（ａ）裏面の平面図、（ｂ）断面図である。
【図４】本発明の実施形態４に係るキャリアテープ４００を示す、（ａ）裏面の平面図、（ｂ）断面図である。
【図５】本発明の実施形態５に係るキャリアテープ５００を示す、（ａ）裏面の平面図、（ｂ）断面図である。
【図６】本発明の実施形態６に係るキャリアテープ６００を示す、（ａ）裏面の平面図、（ｂ）断面図である。
【発明を実施するための形態】
【００１４】
以下、本発明の実施形態について、図面を参照して詳細に説明する。なお、本明細書の実施形態においては、全体を通じて、同一の部材には同一の符号を付している。
【００１５】
（実施形態１）
図１は、本発明の実施形態１に係るキャリアテープ１００を示す、（ａ）裏面の平面図、（ｂ）断面図、（ｃ）表面の平面図である。
図１に示されるキャリアテープ１００は、図示されない電子部品を収納可能なものであり、キャリアテープ本体１１０と、粘着フィルム１２０とで形成されている。なお、キャリアテープ１００は、粘着フィルム１２０とは反対側の面（表面）が、図示されないトップカバーテープで覆われることもある。
【００１６】
キャリアテープ本体１１０は、０．２ｍｍから０．６ｍｍの厚さの樹脂製のテープ状基材であり、通常、熱可塑性樹脂、例えばポリ塩化ビニル、ポリスチレン、アモルファスポリエチレンテレフタレート、ポリカーボネート、ポリプロピレン、ポリブチレンテレフタレート、ＡＢＳ樹脂のほか、これらの樹脂にカーボンを練り込んだもの、上記樹脂を１種又は２種以上ブレンド、アロイしたものなどの材料で形成される。
【００１７】
このキャリアテープ本体１１０には、電子部品を収納する開口部１１が長手方向に所定間隔で穿設されている。この開口部１１は、収納する電子部品の形状・寸法に応じたものとされ、実施形態１では、平面視で略正方形である。なお、開口部１１の形状は、長方形や円形であってもよい。また、キャリアテープ本体１１０には、実装装置などで位置決めに用いられる複数の送り孔１２が、長手方向に所定間隔で開口部１１の一方又は両側に穿設されている。
【００１８】
一方、粘着フィルム１２０は、ベースフィルムと、ベースフィルム上の粘着剤層とで形成されており、開口部１１の全面に臨むようにキャリアテープ本体１１０に貼付けられている。この粘着フィルム１２０は、長手方向に沿って設けられた切込部１３０により、３つの区画１２０ａ，１２０ｂ，１２０ｃに分割可能に形成されており、キャリアテープ本体１１０から、剥離可能となっている。ただし、切込部１３０は、幅方向に等間隔に設けても、中央部のみ幅広又は幅狭とするような、不等間隔に設けてもよい。
【００１９】
この切込部１３０は、キャリアテープ本体１１０の開口部１１以外の場所（陸部）では連続しておらず、長手方向に断続的に形成されているが、連続的に形成されていてもよい。
【００２０】
粘着剤層の形成に用いられる粘着剤としては、常温で粘着性を有するアクリル系粘着剤、シリコーン系粘着剤、ゴム系粘着剤などを単独又は２種以上混合して用いたものなどが挙げられ、各種フィラーや硬化剤などの添加剤を含んでいてもよい。
【００２１】
このキャリアテープ１００に収納される電子部品は、例えば厚みが０．３ｍｍから０．１ｍｍ程度あるいは更に薄い１００μｍ以下のベアダイなどである。
【００２２】
このキャリアテープ１００に電子部品が収納されて工場間などを輸送される時は、電子部品を粘着フィルム１２０の強い粘着力で確実に保持できる。一方、電子部品の実装直前は、電子部品を収納する開口部１１に臨む粘着フィルム１２０の少なくとも一部を剥離することで、電子部品に対する粘着フィルム１２０の粘着力を低下させることができる。この場合、粘着フィルム１２０には、３つの区画１２０ａ，１２０ｂ，１２０ｃが形成されているから、電子部品に対する粘着力が、３段階で調節できることになる。
【００２３】
つまり、キャリアテープ１００では、粘着剤の粘着力を低下させる手段は、切込部１３０に沿って粘着フィルム１２０の少なくとも一部を剥離することである。更に言い換えると、粘着剤の粘着力を低下させる手段は、切込部１３０である。
【００２４】
以下、異なる実施形態について説明する。
実施形態２から５に係るキャリアテープ２００，３００，４００，５００は、実施形態１に係るキャリアテープ１００における切込部（粘着剤の粘着力を低下させる手段）１３０の形態が異なるものであり、その他の構成は実質的に同じものである。
【００２５】
（実施形態２）
図２は、本発明の実施形態２に係るキャリアテープ２００を示す、（ａ）裏面の平面図、（ｂ）断面図である。
図２に示されるキャリアテープ２００では、切込部２３０が、幅方向に４つ設けられることで、粘着フィルム２２０が５つの区画２２０ａ，２２０ｂ，２２０ｃ，２２０ｄ，２２０ｅに分割可能に形成されているものである。この場合、電子部品に対する粘着力が、５段階で調節できることになる。このような切込部２３０であっても、粘着フィルム２２０の一部区画を容易に切断し剥離することができる。
【００２６】
なお、切込部２３０によって粘着フィルム２２０が区画される数量は、５つに限らず、５つ以上でも、４つでもよく、粘着力の調節量に応じて選択すればよい。また、この場合も、切込部２３０は、幅方向に等間隔に設けても、中央部のみ幅広又は幅狭とするような、不等間隔に設けてもよい。
【００２７】
（実施形態３）
図３は、本発明の実施形態３に係るキャリアテープ３００を示す、（ａ）裏面の平面図、（ｂ）断面図である。
図３に示されるキャリアテープ３００では、切込部３３０が、ミシン目で形成されたものである。このようなミシン目の切込部３３０であっても、粘着フィルム３２０の少なくとも一部の区画３２０ａ，３２０ｂ，３２０ｃを容易に切断し剥離することができる。
【００２８】
（実施形態４）
図４は、本発明の実施形態４に係るキャリアテープ４００を示す、（ａ）裏面の平面図、（ｂ）断面図である。
図４に示されるキャリアテープ４００では、切込部４３０が、直線部と、この直線部から所定の方向に折れ曲がった傾斜部とで形成されたものである。この切込部４３０の傾斜部は、他方の切込部４３０側に互いに折れ曲がっている。そして、傾斜部側から直線部側に向かって（図４における右から左方向）粘着フィルム４２０を剥離することで、直線部の終端から傾斜部の始端までの間の部分を切断する。この切断を繰り返すことで、粘着フィルム４２０は、連続的に切断され剥離される。このような形状の切込部４３０であっても、粘着フィルム４２０の少なくとも一部の区画４２０ａ，４２０ｂ，４２０ｃを容易に切断し剥離することができる。
【００２９】
なお、傾斜部の折れ曲がり角度は、粘着フィルム４２０の厚みや強度に応じて、適宜設定すればよく、傾斜部は、多少湾曲していてもよい。
【００３０】
（実施形態５）
図５は、本発明の実施形態５に係るキャリアテープ５００を示す、（ａ）裏面の平面図、（ｂ）断面図である。
図５に示されるキャリアテープ５００では、切込部５３０が、粘着フィルム５２０の表裏面に貫通しないハーフカットで形成されたものである。このようなハーフカットの切込部５３０であっても、粘着フィルム５２０の少なくとも一部の区画５２０ａ，５２０ｂ，５２０ｃを容易に切断し剥離することができる。
【００３１】
ただし、これら実施形態１から５の切込部１３０，２３０，３３０，４３０，５３０は、２種以上が組み合わされてもよい。
【００３２】
（実施形態６）
図６は、本発明の実施形態６に係るキャリアテープ６００を示す、（ａ）裏面の平面図、（ｂ）断面図である。
上記各実施形態１から５では、粘着剤の粘着力を低下させる手段１３０，２３０，３３０，４３０，５３０が、粘着フィルム１２０，２２０，３２０，４２０，５２０の少なくとも一部を剥離することであったが、図６に示されるキャリアテープ６００では、粘着剤の粘着力を低下させる手段６３０が、紫外線硬化型粘着剤である点で異なっている。
【００３３】
すなわち、粘着フィルム６２０の粘着剤層は、紫外線硬化型粘着剤層である。この紫外線硬化型粘着剤は、紫外線が照射されることにより、粘着剤の粘着力が低下するものであり、アクリル系のものが用いられる。この粘着フィルム６２０の粘着剤層は、全面が紫外線硬化型粘着剤層としても、開口部１１に臨む一部のみを紫外線硬化型粘着剤層としてもよい。
【００３４】
電子部品の実装装置で、キャリアテープ６００の粘着剤の粘着力を低下させる場合は、搬送ライン途中の電子部品吸着位置よりも手前に紫外線照射手段を設置し、紫外線硬化型粘着剤層に紫外線を照射するとよい。
【００３５】
なお、粘着フィルム６２０は、開口部１１のピッチ（例えば、４ｍｍピッチ未満）などに応じて、特許文献１や図１から５にみられるように、開口部１１の全面に臨むようなものとしてもよい。
【００３６】
以上のとおり、本発明の実施形態に係るキャリアテープ１００，２００，３００，４００，５００，６００は、複数の送り孔１２と、電子部品を収納可能な複数の開口部１１とがそれぞれ長手方向に所定間隔で穿設された樹脂製のキャリアテープ本体１１０，２１０，３１０，４１０，５１０，６１０と、開口部１１に粘着剤が臨むようにキャリアテープ本体１１０，２１０，３１０，４１０，５１０，６１０に貼付けられた粘着フィルム１２０，２２０，３２０，４２０，５２０，６２０と、で形成されるものであって、粘着フィルム１２０，２２０，３２０，４２０，５２０，６２０は、粘着剤の粘着力を低下させる手段１３０，２３０，３３０，４３０，５３０，６３０を備えるものである。
【００３７】
これにより、電子部品がキャリアテープ１００，２００，３００，４００，５００，６００に収納されて工場間などを輸送される時は、電子部品を粘着フィルム１２０，２２０，３２０，４２０，５２０，６２０の強い粘着力で確実に保持できるから、電子部品の脱落を防止することができ、一方、電子部品の実装直前は、粘着フィルム１２０，２２０，３２０，４２０，５２０，６２０の粘着力を低下させることができるから、実装装置の吸着手段などによる電子部品のピックアップ性能を向上させることができる。
【００３８】
本実施形態では、粘着フィルム１２０，２２０，３２０，４２０，５２０は、開口部１１に臨む、少なくとも一部が剥離可能に形成され、粘着剤の粘着力を低下させる手段は、粘着フィルム１２０，２２０，３２０，４２０，５２０の少なくとも一部を剥離することである。これにより、実装直前に、粘着フィルム１２０，２２０，３２０，４２０，５２０の一部を剥離する簡単な工程だけで、粘着フィルム１２０，２２０，３２０，４２０，５２０の粘着力を低下させることができる。
【００３９】
本実施形態では、粘着フィルム１２０，２２０，３２０，４２０，５２０は、長手方向に沿って切込部１３０，２３０，３３０，４３０，５３０を有し、切込部１３０，２３０，３３０，４３０，５３０に沿って切断可能である。これにより、粘着フィルム１２０，２２０，３２０，４２０，５２０の少なくとも一部を、カット、部分カット、ハーフカット、ミシン目などの切込部１３０，２３０，３３０，４３０，５３０に沿って切断しながら、剥離することができるから、弱い力でも簡単に剥離することができる。
【００４０】
本実施形態では、粘着フィルム６２０の粘着剤は、紫外線が照射されることにより、粘着剤の粘着力が低下する紫外線硬化型粘着剤であり、粘着剤の粘着力を低下させる手段６３０は、紫外線硬化型粘着剤である。これにより、粘着フィルム６２０の粘着剤に紫外線を照射する簡単な工程だけで、粘着フィルム６２０の粘着力を低下させることができる。
【００４１】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００４２】
１１    開口部
１２    送り孔
１００  キャリアテープ
１１０  キャリアテープ本体
１２０  粘着フィルム
１３０  切込部（粘着剤の粘着力を低下させる手段）
６３０  紫外線硬化型粘着剤（粘着剤の粘着力を低下させる手段）
【図１】
2018002204.tif 000003
【図２】
2018002204.tif 000004
【図３】
2018002204.tif 000005
【図４】
2018002204.tif 000006
【図５】
2018002204.tif 000007
【図６】
2018002204.tif 000008